(57)【要約】【課題】横になったりソファーにもたれたりする姿勢や寝返りに制約を受けず、また、使用場所にもほとんど制約を受けない使い勝手のよい無線通信を採用しても安易に信号が遮断されることなく、信頼性の高い良好な音声信号の送受信を確保できる骨伝導スピーカ装置を提供する。【解決手段】  音声信号を入力し赤外線出力に変換して送信する送信機５と、この送信機からの前記赤外線信号を受信する音声受信装置１であって、受信信号を音声信号に復調する受信機７および受信し増幅した音声信号を音声振動として出力する骨伝導スピーカ２さらにこの骨伝導スピーカをその表面に保持してパッド状に形成した弾性緩衝材３とから骨伝導スピーカ内蔵パッド１を形成し、前記受信機の受光部９はパッド状弾性緩衝材の端縁に間隔を置いて複数個設置したことを特徴とする。【選択図】  図１
2005080136.tif 000002
【特許請求の範囲】
【請求項１】
音声信号を入力し赤外線出力に変換して送信する送信機と、この送信機からの前記赤外線信号を受信する音声受信装置であって、受信信号を音声信号に復調する受信機および受信し増幅した音声信号を音声振動として出力する骨伝導スピーカさらにこの骨伝導スピーカをその表面に保持してパッド状に形成した弾性緩衝材とから骨伝導スピーカ内蔵パッドを形成し、前記受信機の受光部はパッド状弾性緩衝材の端縁に間隔を置いて複数個設置したことを特徴とする骨伝導スピーカ装置。
【請求項２】
受信機の受光部は骨伝導スピーカ内蔵パッドの周端縁より外方に突出して側方および上方からの赤外線信号の受信を可能としたことを特徴とする請求項１記載の骨伝導スピーカ装置。
【請求項３】
送信機の発光部は側方および上方への赤外線信号の発光を可能としたことを特徴とする請求項１または２記載の骨伝導スピーカ装置。
【請求項４】
骨伝導スピーカ内蔵パッドには、有線にて音声信号を入力する接続端子を設置したことを特徴とする請求項１乃至３のいずれかに記載の骨伝導スピーカ装置。
【発明の詳細な説明】
【技術分野】
【０００１】
本発明は、骨伝導によって音楽などを聴くことができ枕などと併用するパッド装置に係り、特に赤外線による音声信号入力を改良した骨伝導スピーカ装置に関する。
【背景技術】
【０００２】
従来、骨伝導を利用して音楽やラジオなどを聴く手段としては、例えば、ヘッドホンに関する特許出願が種々公開（例えば、特許文献１参照）されており、さらに最近では、図７に示すように、２つの骨伝導スピーカ（35）を頭部に当接するように間隔を設けて緩衝材（５）に組み込み、枕（27）などに着脱自在に取り付けて、寝ながら音楽を聴くことができるようにした頭部受け装置が本発明の出願人から特願２００３−７０６７１として出願されており、また、音声信号の送信部と受信部を電波式ではなく発光部と受光部とからなる赤外線を用いて無線通信による骨伝導スピーカを内蔵した頭部受け装置が同様に特願２００２−３３７０８４として出願されている。
【特許文献１】特開２００３−３２７６８公報
【発明の開示】
【発明が解決しようとする課題】
【０００３】
しかしながら、上記頭部受け装置としての先行技術である特願２００３−７０６７１記載の信号方式が特願２００２−３３７０８４に記載のように赤外線方式であり受光部が設置されている場合であっても、上記先出願には受光部が一カ所しかないことから、パッド状の頭部受け装置（５）を枕（27）などクッション体の表面に取り付けて使用した際には、頭の重量で頭部受け装置（５）がクッション体（27）の中に沈み込むことになり、装置側面に設けた受光部は塞がれ、受信光が遮断される場合が懸念されるものであった。また、受光部が聴取者自身の髪の毛で塞がれる可能性もあり、さらに、送信機を足元などに設置した場合には、寝具で送信光が遮断される問題もあった。
【０００４】
本発明は上記点に着目してなされたものであり、横になったりソファーにもたれたりする姿勢や寝返りに制約を受けず、また、使用場所にもほとんど制約を受けない使い勝手のよい無線通信を採用しても、安易に信号が遮断されることなく、信頼性の高い良好な音声信号の送受信を確保できる骨伝導スピーカ装置を提供するものである。
【課題を解決するための手段】
【０００５】
上記課題を解決するため、本発明の骨伝導スピーカ装置は、音声信号を入力し赤外線出力に変換して送信する送信機と、この送信機からの前記赤外線信号を受信する音声受信装置であって、受信信号を音声信号に復調する受信機および受信し増幅した音声信号を音声振動として出力する骨伝導スピーカさらにこの骨伝導スピーカをその表面に保持してパッド状に形成した弾性緩衝材とから骨伝導スピーカ内蔵パッドを形成し、前記受信機の受光部はパッド状弾性緩衝材の端縁に間隔を置いて複数個設置したことを特徴とする。
【発明の効果】
【０００６】
本発明によれば、寝返りやもたれたりする姿勢の制約を受けることなく音楽などを聴くことができるとともに、骨伝導スピーカ装置への音声信号の入力に対して使用上の制約条件を大幅に緩和して信号入力の信頼性を高めることができる。
【発明を実施するための最良の形態】
【０００７】
以下、図面に基づき本発明の一実施形態について説明する。図１に斜視図、図２にその使用状態の断面図を示す骨伝導スピーカ内蔵パッド（１）は、上部表面に骨伝導スピーカ（２）を配置した弾性緩衝材（３）と、これらを覆って枕形態を形成するカバー体（４）とからなり音声受信装置を構成している。
【０００８】
骨伝導スピーカ（２）は、図３に示す装置ブロック図における音源送信装置（５）からの音声を音声振動として頭部（６）へ直接伝達することで、難聴者であっても骨伝導により聞こえるようにしたものであり、スピーカ（２）の数は寝返りを打った場合でも、その頭部（６）が確実にいずれかの骨伝導スピーカ（２）と接触し合うように少なくとも２つ以上を弾性緩衝材（３）の長手方向に沿って所定間隔で配設されている。
【０００９】
音声受信装置である骨伝導スピーカ内蔵パッド（１）の受信部（７）は、パッド（１）の上面図である図４でより明確に理解されるように、パッド（１）の上辺両側の２カ所に周縁コーナー部より外方に突出してコーナー２辺に亙る側面部（９ａ）および上面部（９ｂ）を形成し、パッド（１）の側方および上方からの赤外線による音声信号の受信ができるように半透明色に着色した受光カバーで覆われたフォトダイオードの受光部（９）を設置している。
【００１０】
また、前記音源送信機（５）における赤外線信号の送信部である発光部（13）についても、従来は受光部と同様側面のみにしか設けられていなかったが、本実施例においては前記受光部（９）と同じく図５に示すように、本体の上部をほぼ球形に形成し、側面（13ａ）および上面（13ｂ）を有するようにして側方および上方への赤外線信号の発光を可能としており、本体の下部には、ラジカセなどの音源（11）との接続端子（20）やＡＣアダプターに接続される充電端子（21）が設けられている。
【００１１】
そして、パッドの上辺の一方には充電池を用いたＤＣ電源部（10）を設けており、音源送信機（５）の発光部（13）からの赤外線信号を受光部（９）で受信することで、その音声信号に基づき前記骨伝導スピーカ（２）に駆動信号を与えるようにしており、他方の受光部（９）の側面には、電源スイッチ（22）やボリュームスイッチ（23）などを配置している。
【００１２】
音源送信機（５）は、音源（11）となるテレビやＣＤラジカセ等からの音声やマイク入力による音声を増幅する音声増幅部（12）とそれを送信する赤外線ＬＥＤからなる発光送信部（13）とを有し、リモコン（14）によって寝た状態のままでも操作ができるようにしている。
【００１３】
音源送信機（５）は、入力側に前記音源（11）の他、タイマーや目覚まし機能を備えた時計（15）からの信号が入力されるようになっており、時計（15）からの信号で頭部（６）に振動を与えて目覚ましとしたり、タイマー動作させるようにしている。
【００１４】
音源（11）からの音声がステレオで入力される場合には、ステレオとして送信部（13）から受信部（９）へ送信することができるものであり、この場合には、受信部（９）で、左右の骨伝導スピーカ（２）（２）に対して、モノラル用あるいはステレオ用として使用できるよう信号に基づく自動切換回路を備えることが望ましい。
【００１５】
音源（11）から送信機（５）への送信は、通常はケーブルにてライン入力端子（20）に接続して送信するが、ケーブルを外した場合は、送信機（５）の内部マイクに自動的切り替わって音声を受信するように構成されている。
【００１６】
しかして、弾性緩衝材（３）は、ポリエステル樹脂からなる繊維体を接着剤や樹脂自身の融着力で接合した不織布によって、所定の表面積と厚みを有するようにパッド状に形成されている。図２に示すように、弾性緩衝材（３）の表面積は、聴取者が横になった際の頭部（６）にいずれかが当接するように配置した複数の骨伝導スピーカ（２）の間隔より大きくした縦１５ｃｍ、横３０ｃｍのサイズにしており、厚みは、骨伝導スピーカ（２）を保護し、頭部（６）をのせた際のスピーカの存在による違和感をなくして快適なクッション性を有するとともに、スピーカ振動を吸収し、空気伝播音の発生、すなわち音洩れを抑制する厚みであり、且つこのパッド（１）を載置する枕（16）上においても使用感の良好な厚み、例えば、２５ｍｍ厚に形成されている。
【００１７】
前記不織布による緩衝材（３）は、繊維が重なっている構造であることから、骨伝導スピーカ（２）の振動が繊維に伝わると、繊維間での摩擦が発生し、スピーカ振動が熱エネルギーに変換されることで空気伝播音が減衰し、また振動する繊維部は線状であることから空気振動に変換されにくく、空気伝播音の発生が少なくなるものであり、弾性緩衝材（33）の表面から突出している骨伝導スピーカ（２）の使用者の頭部（６）への当たりが緩和されて快適な使用感が得られるとともに、音声についても良好な状態で聴くことができる。
【００１８】
上記の構成により、聴取者が、例えば、枕（16）上に置いた骨伝導スピーカ内蔵パッド（１）の上に頭（６）をのせ、リモコン（14）等により電源をオンすれば、音源（11）から入力される音声信号はケーブルを介して送信機（５）に入力し、発光部（13）からの赤外線ＬＥＤ信号によって受信部（７）の受光部（９）に伝達され、骨伝導スピーカ（２）からの音声振動として頭部（６）に伝わるものであり、健常者は無論のこと難聴者も充分にその音声・音楽を聴くことができるものである。
【００１９】
このとき、頭の重さによってパッド（１）が枕（16）内に沈み込み、万一その受光部（９）の側面部（９ａ）が遮蔽されたとしても上面部（９ｂ）から受光することができ、また、聴取者の寝返りなどによって片方の受光部（９）全体が髪の毛などで覆われた場合でも、もう一側方の受光部（９）の側面部（９ａ）あるいは上面部（９ｂ）によって信号光を受信することができるものである。
【００２０】
送信機（５）についても、万一寝具の縁などによってその側面が遮蔽されたとしても球状の発光部（13）の上面（13ｂ）からの信号光の発光で、天井反射により支障なく赤外線信号を受信機の受光面（９ａ）（９ｂ）に伝達することができる。
【００２１】
また、図６に示すように、骨伝導スピーカ内蔵パッド（１）の前記パッドの上辺の一方に設置したＤＣ電源部（10）の側面には、電池への充電のためにＡＣアダプタに接続される充電端子（24）とともに音声信号入力用の接続端子（25）を設けており、このジャック（25）に音源（11）からの音声信号を直接入力することにより、送信機（５）を介することなく骨伝導スピーカ内蔵パッド（１）で音楽を聴くことができる。
【００２２】
なお、カバー体（４）は、袋状で一側にはファスナー（４ａ）を設けて本体から着脱自在としており、カバー体（４）が汚れた場合には、取り外して洗ったり、新しいものと交換できるようにしているとともに、このカバー体（４）には、図示しないが取り付けバンドを設けて、枕（16）に取着するのみでなく、ソファーの背もたれシートや乗用車のヘッドレストなどに自在に取り付けるようにすることができる。
【産業上の利用可能性】
【００２３】
本発明によれば、健常者のみならず難聴者についても音楽などを楽しむことができ、音声信号入力の制約条件を緩和した骨伝導スピーカ装置として利用することができる。
【図面の簡単な説明】
【００２４】
【図１】本発明の１実施形態を示す骨伝導スピーカ内蔵パッドの斜視図である。
【図２】図１の骨伝導スピーカ内蔵パッドに頭をのせた状態を示す断面図である。
【図３】図１の骨伝導スピーカ内蔵パッドの送受信装置を示すブロック図である。
【図４】図１の骨伝導スピーカ内蔵パッドの平面図である。
【図５】本発明の送信機の実施例を示す側面図である。
【図６】図１の骨伝導スピーカ内蔵パッドの側面図である。
【図７】従来の骨伝導スピーカ内蔵枕の構成を示す斜視図である。
【符号の説明】
【００２５】
１  骨伝導スピーカ内蔵パッド          ２  骨伝導スピーカ
３  弾性緩衝材                        ４  カバー体
５  音源送信機                        ６  頭部
７  受信部                            ８  電源部
９  受光部                            ９ａ  受光部の側面部
９ｂ  受光部の上面部                  10  ＤＣ電源部
11  音源                              12  音声増幅部
13  発光部                            13ａ  発光部の側面
13ｂ  発光部の上面                    14  リモコン
16  枕                                20  接続端子
21  充電端子                          22  電源スイッチ
23  ボリュームスイッチ
【図１】
2005080136.tif 000003
【図２】
2005080136.tif 000004
【図３】
2005080136.tif 000005
【図４】
2005080136.tif 000006
【図５】
2005080136.tif 000007
【図６】
2005080136.tif 000008
【図７】
2005080136.tif 000009